(57)【要約】【課題】軽量化を図るため仮設作業台をアルミニウム合金製とした場合、使用によりこれにコンクリートなどが飛散しても、これを簡単に除去して腐食することを防止でき、しかもそのための作業も容易で作業性のよいものにできる。【解決手段】上部に手摺支柱４を延設した一対の支柱脚１間に複数の踏桟２を適宜間隔で取り付けて梯子枠３を形成し、該梯子枠３の一対を対向させ上端を相互に回動自在に軸着し、支柱脚１の上部位置で梯子枠３間に踏板ユニット６を折り畳み自在に架け渡した作業台５において、前記手摺支柱４、支柱脚１および／または踏桟２に、コンクリートが付着しにくく、耐候性を有する保護カバー１２、１３を係止手段を介して着脱自在に取り付けた。【選択図】　　　　図３
2004068436.tif 000002
【特許請求の範囲】
【請求項１】
上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、前記手摺支柱、支柱脚および／または踏桟に、コンクリートが付着しにくく、耐候性を有する保護カバーを係止手段を介して着脱自在に取り付けたことを特徴とする仮設作業台。
【請求項２】
上部に手摺支柱や手掛かり棒を延設した一対の支柱脚間に複数の踏桟を適宜間隔で取り付けて梯子枠を形成し、該梯子枠の一対間に天板を架け渡した作業台において、前記支柱脚・手摺支柱・手掛かり棒および／または踏桟および／または天板に、コンクリートが付着しにくく、耐候性を有する保護カバーを係止手段を介して着脱自在に取り付けたことを特徴とする仮設作業台。
【請求項３】
手摺支柱・手掛かり棒、支柱脚および踏桟に取り付ける保護カバーは、断面コ字形の長尺物に形成する請求項１または請求項２に記載の仮設作業台。
【請求項４】
天板に取り付ける保護カバーの係止手段は、保護カバーの端縁に形成した折り曲げ部である請求項２に記載の仮設作業台。
【請求項５】
天板に取り付ける保護カバーの係止手段は、天板に形成してある滑り防止孔に対応する位置に形成した固定孔であり、該固定孔と滑り防止孔とを合致させ両孔に落下防止ボタンを挿入する請求項２または請求項４に記載の仮設作業台。
【請求項６】
保護カバーは強化繊維プラスチック（ＦＲＰ）などの合成樹脂製である請求項１から請求項５のいずれかに記載の仮設作業台。
【発明の詳細な説明】
【０００１】
【発明の属する技術分野】
本発明は、建築工事現場、建築物の天井や壁面などの内外装作業、電気配線作業などの高所作業に使用する仮設作業台に関するものである。
【０００２】
【従来の技術】
作業台５として、例えば出願人が先に特願２００１−２６２７２９号として提案したような、転落防止手段を設けた脚立状のものがある。これは、図８にも示すように、上部に手摺支柱４を延設した一対の支柱脚１間に複数の踏桟２を適宜間隔で取り付けて梯子枠３を形成し、該梯子枠３の一対を対向させ上端を相互に回動自在に軸着し、支柱脚１の上部位置で梯子枠３間に踏板ユニット６を折り畳み自在に架け渡し、転落防止手段として、手摺支柱４の上部に、梯子枠３の外方に向けて略水平方向に突出する手摺枠８、９を取り付けたものである。
【０００３】
支柱脚１、手摺支柱４ともに、現場への搬入や現場内での移動が容易に行えるよう軽量な材質として、例えばアルミニウム合金を使用し、断面コ字形に形成した。
【０００４】
この作業台５は単体で使用することができるのはもちろんであるが、図９に示すようにかかる脚立状の作業台を２台、間隔をおいて配置し、両作業台間に天板１０を架け渡して使用することもできる。かかる場合の天板１０も取扱が容易なよう軽量な材質として、例えばアルミニウム合金を使用している。
【０００５】
【発明が解決しようとする課題】
このような仮設作業台は、主として建設現場の室内仕上げ作業、コンクリート型枠組立作業、コンクリート打設作業などに使用されるため、塗料、耐火被覆材、コンクリートなどが付着したり、これらにより汚れたりすることが多い。
【０００６】
一方、仮設作業台は前記のように軽量化を図るためにアルミニウム合金製としているが、アルミニウム合金はアルカリ性物質に簡単におかされ、腐食する性質を有する。そして、コンクリートは固化していない状態ではアルカリ性であるため、アルミニウム合金製の仮設作業台はコンクリートによって腐食するおそれがあり、かかる不都合を回避するには、使用中に仮設作業台に付着したコンクリートを早期に除去する必要がある。
【０００７】
早期に除去しないと、腐食が進行しアルミニウム材料の表面に単に付着している状態とは異なりアルミニウム材料の内部に食い込んでコンクリート除去が困難になる。
【０００８】
また、アルミニウム合金は鉄などの他の金属とは異なり、表面が柔らかいために傷つきやすい。このため、一般の整備作業では付着・汚れコンクリートの除去（ケレン）はブラシ作業や爪形状の金属製器具などによる削り取り作業、叩くなどの衝撃による除去作業などの機械的な除去方法が多いが、かかる除去方法を比較的軟質なアルミニウム合金製の作業台に適用することは経年変化が早く進むのでできる限り避けたい。
【０００９】
そして、アルミニウム合金はいったん傷がつくと、コンクリートはますます付着しやすくなり、なおいっそう除去が困難になる。
【００１０】
本発明の目的は前記従来例の不都合を解消し、軽量化を図るため仮設作業台をアルミニウム合金製とした場合、使用によりこれにコンクリートなどが飛散しても、これを簡単に除去して腐食することを防止でき、しかもそのための作業も容易で作業性のよい仮設作業台を提供することにある。
【００１１】
【課題を解決するための手段】
本発明は前記目的を達成するため、第１に、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、前記支柱脚、手摺支柱および／または踏桟に、コンクリートが付着しにくく、耐候性を有する保護カバーを係止手段を介して着脱自在に取り付けたことを要旨とするものである。
【００１２】
第２に、上部に手摺支柱や手掛かり棒を延設した一対の支柱脚間に複数の踏桟を適宜間隔で取り付けて梯子枠を形成し、該梯子枠の一対間に天板を架け渡した作業台において、前記支柱脚・手摺支柱・手掛かり棒および／または踏桟および天板に、コンクリートが付着しにくく、耐候性を有する保護カバーを係止手段を介して着脱自在に取り付けたことを要旨とするものである。
【００１３】
第３に、手摺支柱・手掛かり棒および踏桟に取り付ける保護カバーは、断面コ字形の長尺物に形成することを要旨とするものである。
【００１４】
第４に、天板に取り付ける保護カバーの係止手段は、保護カバーの端縁に形成した折り曲げ部であること、第５に、天板に取り付ける保護カバーの係止手段は、天板に形成してある滑り防止孔に対応する位置に形成した固定孔であり、該固定孔と滑り防止孔とを合致させ両孔に落下防止ボタンを挿入することを要旨とするものである。
【００１５】
第６に、保護カバーは強化繊維プラスチック（ＦＲＰ）などの合成樹脂製であることを要旨とするものである。
【００１６】
請求項１記載の本発明によれば、支柱脚、手摺支柱や踏桟にコンクリートが付着しにくく、耐候性を有する保護カバーを着脱自在に取り付けたから、作業中に手摺支柱や踏桟の箇所にコンクリートなどが付着しても、コンクリートは直接的には保護カバーに付着する。よって、支柱脚、手摺支柱や踏桟にコンクリートなどが直接付着することを防止でき、アルミニウム合金製の手摺支柱や踏桟がコンクリートにより腐食することを阻止できる。そして、作業終了後、保護カバーを外し、コンクリートを除去すれば、次の使用に備えることができる。
【００１７】
請求項２記載の本発明によれば、請求項１と同様の作用で天板についても保護カバーを取り付けることでコンクリートの付着による腐食を防止できる。
【００１８】
請求項３記載の本発明によれば、前記作用に加えて保護カバーを断面コ字形の長尺物に形成することにより、コ字形の開口部から支柱脚、手摺支柱、手掛かり棒および踏桟に対して側方から押し込み、また、引っ張ることで保護カバーを手摺支柱および踏桟に簡単に着脱できる。
【００１９】
請求項４記載の本発明によれば、前記作用に加えて、保護カバーの端縁に形成した折り曲げ部が天板の側縁に係止するから、天板に対して保護カバーを上方から下方に向けて押し込むだけで簡単に取り付けられ、取付状態では側方への移動が阻止され外れることがない。また、天板から除去するには、保護カバーを上方に引き上げるだけで容易に行える。
【００２０】
請求項５記載の本発明によれば、前記作用に加えて、保護カバーに形成した固定孔を天板に形成した滑り防止孔に合致させてここに落下防止用の突起となるボタンを装着すれば、該落下防止ボタンによって保護カバーが天板に一体に固定される。この場合、落下防止ボタンを固定ボタンに兼用することで、部品が多くなることもなく、取り付け作業も工程が増えることなく、さらに、取付後は、ボタンによって確実に固定される。
【００２１】
請求項６記載の本発明によれば、前記作用に加えて、保護カバーを合成樹脂である例えば強化繊維プラスチック（ＦＲＰ）製とすることで、製造が容易であるだけでなく、材質の弾性を利用して手摺支柱などへの着脱を容易にできる。
【００２２】
【発明の実施の形態】
以下、図面について本発明の実施の形態を詳細に説明する。図１は、本発明の仮設作業台の実施の形態を示す要部である支柱脚や手摺支柱、手掛かり棒に取り付ける保護カバーの斜視図、図２は同上踏桟に取り付ける保護カバーの斜視図で、仮設作業台の基本構造は図８に示した従来例と基本的には同様であるから、作業台自体の構成についての詳細な説明は省略する。
【００２３】
本発明の作業台５も、一対の梯子枠３と、該梯子枠３間に折り畳み自在に架け渡した踏板ユニット６と、一対の梯子枠３の上部に折り畳み自在にそれぞれ取り付けた手摺枠８、９とで構成する。
【００２４】
梯子枠３は、一対の支柱脚１、１の間に適宜間隔（図示の例では高さ方向に約３００　ｍｍ間隔）で複数本（図示の例では７本）の踏桟２を架け渡し、支柱脚１の上端から手摺支柱４を上方に向けて延設したもので、支柱脚１、手摺支柱４、踏桟２ともに材質としては例えばアルミニウム合金を使用し、断面コ字形に形成した。
【００２５】
支柱脚１の上端部に位置させて、対向する支柱脚１、１の間に踏板ユニット６を回動自在に取り付ける。
【００２６】
手摺支柱４、４の上端部は突き合わせて、矩形状の回転金具１１で回動自在に結合する。図中１４は支柱脚１の下部に伸長自在に取り付けた延長脚を示す。
【００２７】
かかる作業台５において、支柱脚１、手摺支柱４に保護カバー１２を取り付ける。図１は該保護カバー１２を示し、コンクリートが付着しにくく、耐候性を有し、弾性を有する材質のものとして、例えば、強化繊維プラスチック（ＦＲＰ）などの合成樹脂を使用し、内形が支柱脚１、手摺支柱４の外形に等しい、一方の側面を開口部１２ａとした断面コ字形の長尺物に形成した。
【００２８】
図中１２ｂは、踏桟２への係止部となる切欠凹部を示す。
【００２９】
図２は踏桟２に取り付ける保護カバー１３を示し、該保護カバー１３も保護カバー１２と同様に強化繊維プラスチック（ＦＲＰ）製とし、断面コ字形の長尺物に形成するもので、長さは踏桟２と等しくする。図中１３ａは開口部を示す。
【００３０】
図４、図５は天板１０に取り付ける保護カバー１５を示し、天板１０の外形とほぼ等しい外形を有し、四隅にＬ字形の切欠き部１５ａを設け、天板１０への係止手段として天板１０に設けられている滑り防止孔１６に対応する位置で、長さ方向の端部近傍にのみ複数、図示の例では５個の固定孔１７を穿設した。前記切欠き部１５ａは、例えば補助手摺りなどを取り付ける場合に備えて、取付金物などの取付に支障が生じないようにするためのものである。
【００３１】
また、図５に示すように長手方向の側縁を下方に折り曲げ、この折り曲げ部１８を別の係止手段とした。折り曲げ部１８は下方に垂直にＬ字形に折り曲げただけでもよいが、その先端をさらに内側に水平に折り曲げてコ字形の折り曲げ部としてもよい。
【００３２】
これら折り曲げ部１８は、保護カバー１５の長さ方向の全長にわたって形成してもよいが、図６に示すように折り曲げた部分を適宜間隔で削除して切欠き１９を形成し、折り曲げ部１８が切欠き１９を介して適宜間隔で形成されるようにしてもよい。
【００３３】
さらに別の係止手段としてゴムバンドなどの結束手段により天板１０と保護カバー１５とを一体に結束することも考えられる。
【００３４】
使用に際し、保護カバー１２を支柱脚１、手摺支柱４に取り付けるには、図３に示すように開口部１２ａを外側に向けて保護カバー１２を支柱脚１、手摺支柱４に対して側面から押し込めば、強化繊維プラスチック（ＦＲＰ）の弾性により開口部１２ａが多少外側に広がるから簡単に装着でき、装着後は弾性により支柱脚１、手摺支柱４に係止する。
【００３５】
また、切欠凹部１２ｂが踏桟２に当接することで、これがストッパーとなって下方に滑り落ちることもない。
【００３６】
保護カバー１３も同様にして、開口部１３ａを下方に向けて踏桟２に対して上方から押し込めば、強化繊維プラスチック（ＦＲＰ）の弾性により開口部１２ａが多少外側に広がることで簡単に装着でき、装着後は弾性により踏桟２に係止する。
【００３７】
また、保護カバー１５は、図７に示すように、天板１０の上に載せ、天板１０に形成してある滑り防止孔１６に、保護カバー１５に設けた固定孔１７を合致させて、両孔に落下防止用の突起となるボタンを挿入することで、保護カバー１５を天板１０に固定する。この状態で、保護カバー１５の側縁に形成した折り曲げ部１８が天板１０の側部に掛止するから、この折り曲げ部１８によっても保護カバー１５は天板１０に固定される。
【００３８】
コンクリート打設や室内仕上げの作業中などにコンクリートや塗料なとが作業台に飛散しても、コンクリートや塗料は作業台５には直接付着せず、保護カバー１２、１３、１５に付着する。よって、アルミニウム合金製の作業台５がコンクリートなどによって腐食することを防げる。
【００３９】
コンクリートなどが付着した保護カバー１２、１３、１５は、作業終了後に作業台５から取り外す。この場合、特に天板１０に取り付けた保護カバー１５は、周縁に切欠き１９が設けてあるから、この切欠き１９を手掛かりにして着脱することができ、着脱の作業性をよいものにできる。
【００４０】
取り外した保護カバー１２、１３、１５は、これに付着したコンクリートなどを除去して再度の使用に備える。保護カバー１２、１３、１５は強化繊維プラスチック（ＦＲＰ）であるから、コンクリートを剥がしやすい。
【００４１】
保護カバー１２は、図１０に示すように一対の梯子枠３の間に天板１０を架け渡したタイプの作業台についても使用できるものであり、天板１０の端部で梯子枠３の上部から突設した手掛かり棒２０にも取り付けることがてきる。
【００４２】
【発明の効果】
以上述べたように本発明の仮設作業台は、軽量化を図るため作業台をアルミニウム合金製とした場合、作業台に保護カバーを取り付けたから、使用によりこれにコンクリートなどが飛散しても作業台に直接付着することを防止でき、コンクリートなどにより作業台が腐食することを阻止できる。そして、保護カバーは作業台に対して容易に着脱でき、保護カバーからのコンクリートの除去作業も簡単に行えるから、作業性のよいものである。
【図面の簡単な説明】
【図１】本発明の仮設作業台の実施形態を示す要部である支柱脚や手摺支柱、手掛かり棒に取り付ける保護カバーの斜視図である。
【図２】本発明の仮設作業台の実施形態を示す要部である踏桟に取り付ける保護カバーの斜視図である。
【図３】本発明の仮設作業台の実施形態を示す支柱脚および踏桟に保護カバーをとりつけた状態の斜視図である。
【図４】本発明の仮設作業台の実施形態を示す要部である天板に取り付ける保護カバーの平面図である。
【図５】本発明の仮設作業台の実施形態を示す要部である天板に取り付ける保護カバーの正面図である。
【図６】本発明の仮設作業台の実施形態を示す要部である天板に取り付ける保護カバーの斜視図である。
【図７】本発明の仮設作業台の実施形態を示す天板に保護カバーを取り付けた状態の平面図である。
【図８】仮設作業台の斜視図である。
【図９】天板を取り付けた状態の仮設作業台の斜視図である。
【図１０】手掛かり棒を備えた仮設作業台の正面図である。
【符号の説明】
１…支柱脚　　　　　　　　　　　２…踏桟
３…梯子枠　　　　　　　　　　　４…手摺支柱
５…作業台　　　　　　　　　　　６…踏板ユニット
８…手摺枠　　　　　　　　　　　９…手摺枠
１０…天板　　　　　　　　　　　　１１…回転金具
１２…保護カバー　　　　　　　　　１２ａ…開口部
１２ｂ…切欠凹部　　　　　　　　　１３…保護カバー
１３ａ…開口部　　　　　　　　　　１４…延長脚
１５…保護カバー　　　　　　　　　１５ａ…切欠き部
１６…滑り防止孔　　　　　　　　　１７…固定孔
１８…折り曲げ部　　　　　　　　　１９…切欠き
２０…手掛かり棒
【図１】
2004068436.tif 000003
【図２】
2004068436.tif 000004
【図３】
2004068436.tif 000005
【図４】
2004068436.tif 000006
【図５】
2004068436.tif 000007
【図６】
2004068436.tif 000008
【図７】
2004068436.tif 000009
【図８】
2004068436.tif 000010
【図９】
2004068436.tif 000011
【図１０】
2004068436.tif 000012